(57)【要約】【課題】側板が上下で分割されているため、上下の位置精度を部品だけでは出しにくく、また側板を一体にすることが困難である。【解決手段】縦フレーム１０２、１０３、１０５、１０６と、隣り合う縦フレーム１０２と１０３と、フレーム１０５と１０６を締結するとともに対向する一対の側板１０１、１０４と、側板１０１、１０４間を連結する複数の連結部材を有し、側板１０１は縦フレーム１０２、１０３と連結部材で挟まれて、縦フレーム１０２、１０３に締結される第１の側板締結面１０１Ｂ及び側板締結面１０１Ｂより内側に突出し、縦フレーム１０２，１０３と連結部材とで挟まれて、縦フレーム１０２、１０３に締結される側板締結面１０１Ａとを有し、縦フレーム１０２は側板１０１の側板締結面１０１Ｂと締結するフレーム締結面１０２Ｂと、側板締結面と締結するフレーム締結面１０２Ａとを有している。【選択図】図８
2011051205.tif 000002
【特許請求の範囲】
【請求項１】
幅の異なる複数の部材が配置される画像形成装置用構造体であって、
装置本体の四隅の上下方向に立設された縦フレームと、
隣り合う前記縦フレーム同士を締結するとともに、対向する一対の側板と、
前記側板間を連結する複数の連結部材と、を備え、
前記側板は、
前記縦フレームと前記連結部材とで挟まれて、前記縦フレームに締結される第１の側板締結面と、
前記第１の側板締結面から連続して形成されるとともに、前記第１の側板締結面より内側に突出し、前記縦フレームと前記連結部材とで挟まれて、前記縦フレームに締結される第２の側板締結面と、を有し、
前記縦フレームは、
前記第１の側板締結面と締結する第１のフレーム締結面と、
前記第２の側板締結面と締結する第２のフレーム締結面と、を有している
ことを特徴とする画像形成装置用構造体。
【請求項２】
前記側板の下部はコ字形状に形成され、前記縦フレームの下面に嵌められていることを特徴とする請求項１記載の画像形成装置用構造体。
【請求項３】
前記第１又は第２の連結部材は電装基板類を収納する部材であることを特徴とする請求項１又は２に記載の画像形成装置構造体。
【請求項４】
前記第１又は第２の連結部材は被記録媒体を保持する部材を収納する部材であることを特徴とする請求項１又は２に記載の画像形成装置構造体。
【請求項５】
前記第１及び第２の連結部材は装置本体の前後２箇所に配置されていることを特徴とする請求項１ないし４のいずれかに記載の画像形成装置構造体。
【請求項６】
請求項１ないし５のいずれかに記載の画像形成装置用構造体を備えていることを特徴とする画像形成装置。
【発明の詳細な説明】
【技術分野】
【０００１】
本発明は画像形成装置用構造体及び画像形成装置に関する。
【背景技術】
【０００２】
プリンタ、ファクシミリ、複写装置、プロッタ、これらの複合機等の画像形成装置として、例えばインク液滴を吐出する記録ヘッドを用いたインクジェット記録装置などが知られている。このインクジェット記録装置は、記録ヘッドからインク滴を、搬送される用紙（紙に限定するものではなく、ＯＨＰなどを含み、インク滴、その他の液体などが付着可能なものの意味であり、被記録媒体あるいは記録媒体、記録紙、記録用紙、メディアなどとも称される。）に対して吐出して、画像形成（記録、印字、印写、印刷も同義語で使用する。）を行なうものであり、記録ヘッドが主走査方向に移動しながら液滴を吐出して画像を形成するシリアル型画像形成装置と、記録ヘッドが移動しない状態で液滴を吐出して画像を形成するライン型ヘッドを用いるライン型画像形成装置がある。
【０００３】
なお、本願において、「画像形成装置」とは、紙、糸、繊維、布帛、皮革、金属、プラスチック、ガラス、木材、セラミックス等の媒体にインクを吐出して画像形成を行う装置を意味し、また、「画像形成」とは、文字や図形等の意味を持つ画像を媒体に対して付与することだけでなく、パターン等の意味を持たない画像を媒体に付与すること（単に液滴を媒体に着弾させること）をも意味する。また、「インク」とは、インクと称されるものに限らず、記録液、定着処理液、液体などと称されるものなど、画像形成を行うことができるすべての液体の総称として用いる。
【０００４】
従来、画像形成装置用の構造体としては、装置四隅の上下方向に立設する縦フレームと、隣り合う縦フレーム同士を締結するとともに、対向する一対の側板と、側板間を連結する複数の連結部材と有するものがあり（特許文献１）、この構造体によれば、上下側板が装置前後にずれて配置されていることで異なるサイズのユニットを組付けることが可能になる。
【先行技術文献】
【特許文献】
【０００５】
【特許文献１】特許第３６５０６８８号公報
【発明の概要】
【発明が解決しようとする課題】
【０００６】
ところで、画像形成装置として、例えば、ロール紙を装置内に収納し、画像形成部に搬送するものがある。このような装置では、ロール紙の左右にはロール紙を保持、回転させるためのフランジ受けを差し込んだり、ロール紙にシャフトを貫通して保持するため、ロール紙収納部の幅は、ロール紙に対し幅を広くする必要がある。一方、ロール紙の下流側、すなわち画像形成部や排紙部は、用紙に対しある程度の幅を持たせれば良いため、ロール紙収納部よりも狭くすることができる。
【０００７】
また、インクジェット式画像形成装置では、シリアル型の場合、主走査方向で画像形成領域よりも外側に、記録ヘッドの維持回復を行う維持回復機構、廃液を収容する廃液収容部、記録ヘッドから画像形成に寄与しない液滴を受ける空吐出受けなどが配置されるので、画像形成部の主走査機構はロール紙収納部の幅よりも長くなる。さらに、装置幅を狭くするためには、ロール紙収納部幅に対し、用紙搬送部の幅を狭くすることが好ましい。
【０００８】
この場合、ロール紙収納部の構造体と、用紙搬送部の構造体を別々にすると、ロール紙収納部と用紙搬送部の位置精度を確保することが難しくなる。一方で、ロール紙収納部の構造体と、用紙搬送部の構造体を一体の部品で、例えば側板で形成すると、側板に相当な強度がないと、構造体として剛性を確保することが困難であるという課題がある。
【０００９】
上述した従来の構造体にあっては、側板が上下で分割されているため、上下の位置精度を部品だけでは出しにくいという不具合がある。また、一方の側板を縦フレームの内側から締結し、他方の側板を縦フレームの外側から締結しているため、側板を一体にすることが困難である不具合もある。
【００１０】
本発明は上記の課題に鑑み点されたものであり、構造体内の上下で側板間の幅（距離）が異なっても、上下各側板に設けられたユニットの位置決め、支持位置精度を確保しながら、剛性も向上することを目的とする。
【課題を解決するための手段】
【００１１】
上記の課題を解決するため、本発明に係る画像形成装置用構造体は、
幅の異なる複数の部材が配置される画像形成装置用構造体であって、
装置本体の四隅の上下方向に立設された縦フレームと、
隣り合う前記縦フレーム同士を締結するとともに、対向する一対の側板と、
前記側板間を連結する複数の連結部材と、を備え、
前記側板は、
前記縦フレームと前記連結部材とで挟まれて、前記縦フレームに締結される第１の側板締結面と、
前記第１の側板締結面から連続して形成されるとともに、前記第１の側板締結面より内側に突出し、前記縦フレームと前記連結部材とで挟まれて、前記縦フレームに締結される第２の側板締結面と、を有し、
前記縦フレームは、
前記第１の側板締結面と締結する第１のフレーム締結面と、
前記第２の側板締結面と締結する第２のフレーム締結面と、を有している
構成とした。
【００１２】
ここで、前記側板の下部はコ字形状に形成され、前記縦フレームの下面に嵌められている構成とできる。
【００１３】
また、前記第１又は第２の連結部材は電装基板類を収納する部材である構成とできる。
【００１４】
また、前記第１又は第２の連結部材は被記録媒体を保持する部材を収納する部材である構成とできる。
【００１５】
また、前記第１及び第２の連結部材は装置本体の前後２箇所に配置されている構成とできる。
【００１６】
本発明に係る画像形成装置は、本発明に係る画像形成装置用構造体を備えているものである。
【発明の効果】
【００１７】
本発明に係る画像形成装置用構造体及び画像形成装置によれば、幅の異なる複数の部材が配置される画像形成装置用構造体であって、装置本体の四隅の上下方向に立設された縦フレームと、隣り合う縦フレーム同士を締結するとともに、対向する一対の側板と、側板間を連結する複数の連結部材と、を備え、側板は、縦フレームと連結部材とで挟まれて、縦フレームに締結される第１の側板締結面と、第１の側板締結面から連続して形成されるとともに、第１の側板締結面より内側に突出し、縦フレームと連結部材とで挟まれて、縦フレームに締結される第２の側板締結面と、を有し、縦フレームは、第１の側板締結面と締結する第１のフレーム締結面と、第２の側板締結面と締結する第２のフレーム締結面と、を有している構成としたので、構造体内の上下で側板間の幅（距離）が異なっても、上下各側板に設けられたユニットの位置決め、支持位置精度を確保しながら、剛性も向上することができる。
【図面の簡単な説明】
【００１８】
【図１】本発明に係る画像形成装置としてのインクジェット記録装置の全体構成を示す外観斜視説明図である。
【図２】同じく模式的側面説明図である。
【図３】同記録装置の構造体を装置本体手前側から斜視説明図である。
【図４】同じく装置本体後側から見た斜視説明図である。
【図５】同構造体を装置本体側方から断面説明図である。
【図６】同構造体の要部分解斜視説明図である。
【図７】同じく要部斜視説明図である。
【図８】図３の正面模式的説明図である。
【発明を実施するための形態】
【００１９】
以下、本発明の実施形態について添付図面を参照して説明する。本発明に係る画像形成装置としてのインクジェット記録装置の一例について図１及び図２を参照して説明する。なお、図１は同記録装置の全体構成を示す斜視説明図、図２は同装置の模式的側面説明図である。
【００２０】
このインクジェット記録装置は、シリアル型インクジェット記録装置であり、記録装置本体１の内部には、画像形成部２、用紙吸引搬送部３、ロール紙収納部４、電装基板収納部６などが配置され、装置本体１の上部には画像読取り部７（図１では図示省略）が備えられている。
【００２１】
画像形成部２は、図示しない両側板にガイドロッド１３及びガイドレール１４が掛け渡され、これらのガイドロッド１３及びガイドレール１４にキャリッジ１５が矢示Ａ方向に摺動可能に保持されている。
【００２２】
キャリッジ１５は、ブラック（Ｋ）、イエロー（Ｙ）、マゼンタ（Ｍ）、シアン（Ｃ）の各色のインク滴を吐出する液体吐出ヘッドが搭載されている。各記録ヘッドには図示しないが、各記録ヘッドにインクを供給するサブタンクが一体的に備えられている。
【００２３】
そして、キャリッジ１５を移動走査する主走査機構は、主走査方向の一方側に配置される駆動モータ２１と、駆動モータ２１によって回転駆動される駆動プーリ２２と、主走査方向他方側に配置された従動プーリ２３と、駆動プーリ２２と従動プーリ２３との間に掛け回されたベルト部材２４とを備えている。なお、従動プーリ２３は、図示しないテンションスプリングによって外方（駆動プーリ２２に対して離れる方向）にテンションが架けられている。ベルト部材２４は、キャリッジ１５の背面側に設けたベルト固定部に一部分が固定保持されていることで、主走査方向（矢示Ａ方向）にキャリッジ１５を牽引する。
【００２４】
また、キャリッジ１５の主走査方向に沿ってキャリッジの主走査位置を検知するためのエンコーダシート（図示せず）が配置され、キャリッジに設けたエンコーダセンサ（図示せず）によってエンコーダシートが読取られる。
【００２５】
このキャリッジ１５における主走査領域のうち、記録領域では、用紙３０が用紙吸引搬送部３によってキャリッジ１５の主走査方向と直交する方向（副走査方向：矢示Ｂ方向）に間欠的に搬送される。
【００２６】
また、主走査領域のうち一方の端部側領域には、記録ヘッドの維持回復を行う維持回復機構１８が配置されている。さらに、主走査方向のキャリッジ移動領域外又は、上記主走査領域のうち他方の端部側領域には、記録ヘッドのサブタンクに供給する各色のインクを収容したメインカートリッジ１９が記録装置本体１に対して着脱自在に装着される。
【００２７】
また、ロール紙収容部４は給紙手段であり、ロール紙（用紙）３０がセットされているが、幅方向（矢示Ａ方向）のサイズが異なるロール紙がセット可能である。ロール紙３０は、その紙軸に両側からフランジ３１を装着し、フランジ受け３２に載置する。フランジ受け３２の内部には、図示しない支持コロが設けられ、支持コロがフランジ３１の外周と当接することでフランジ３１が回転し、用紙３０が給送される。
【００２８】
この記録装置では、ロール紙収容部４から搬送された用紙３０は、記録装置本体１の後方から前方に向けて、搬送手段（ローラ対３３、搬送ローラであるレジストローラ３４及びレジスト加圧ローラ３５など）により記録領域へ搬送される。そして、キャリッジ１５を主走査方向に移動し、用紙４０を間欠的に送りながら、記録ヘッドを画像情報に応じて駆動して液滴を吐出させることによって、用紙３０上に所要の画像が形成される。さらに、画像形成後の用紙は、所定の長さにカットされ、装置本体１の正面側に配置された図示しない排紙トレイへ排出される。
【００２９】
次に、このインクジェット記録装置の構造体について図３ないし図８を参照して説明する。なお、図３は同構造体を装置本体手前側から見た斜視説明図、図４は同じく装置本体後側から見た斜視説明図、図５は同構造体を装置本体側方から断面説明図、図６は同構造体の要部分解斜視説明図、図７は同じく要部斜視説明図、図８は図３の模式的正面説明図である。
【００３０】
この構造体１００は、幅の異なる複数の部材を収納する画像形成装置用構造体であり、装置本体１の四隅の上下方向に立設された縦フレーム１０２、１０３、１０５、１０６と、隣り合う縦フレーム１０２と１０３と、フレーム１０５と１０６を締結するとともに、対向する一対の側板１０１、１０４と、側板１０１、１０４間を連結する複数の連結部材であるロール紙受けステー１０７、吸引搬送部底板１０８、吸引搬送前ステー１０９、給紙レジストローラ受けステー１１０、及び一体となる電装ボックス下ステー１１１、電装ボックス下ステー補強板１１２、電装ボックス上ステー１１３などを有している。
【００３１】
そして、側板１０１は、縦フレーム１０２、１０３と連結部材であるロール紙受けステー１０７、吸引搬送前ステー１０９、電装ボックス下ステー１１１、電装ボックス下ステー補強板１１２などとで挟まれて、縦フレームに締結される第１の側板締結面１０１Ｂと、第１の側板締結面１０１Ｂから連続して形成されるとともに、第１の側板締結面１０１Ｂより内側に突出し、縦フレーム１０２，１０３と吸引搬送前ステー１０９、給紙レジストローラ受けステー１１０などの連結部材とで挟まれて、縦フレーム１０２、１０３に締結される第２の側板締結面１０１Ａとを有している。同様に側板１０４は、第１の側板締結面１０４Ｂと第２の側板締結面１０４Ａとを有している。
【００３２】
また、図６に示すように、縦フレーム１０２は、側板１０１の第１の側板締結面１０１Ｂと締結する第１のフレーム締結面１０２Ｂと、第２の側板締結面と締結する第２のフレーム締結面１０２Ａとを有している。同様に、縦フレーム１０３は、側板１０１の第１の側板締結面１０１Ｂと締結する第１のフレーム締結面１０３Ｂと、第２の側板締結面と締結する第２のフレーム締結面１０３Ａとを有している。なお、縦フレーム１０５についても同様の構成であり（図８）、縦フレーム１０６についても同様の構成である（図示を省略する。）。
【００３３】
つまり、具体的には、右側板１０１は、前側に右前縦フレーム１０２、後側に右後縦フレーム１０３を締結し、左側板１０４は、前側に左前縦フレーム１０５、後側に左後縦フレーム１０６を締結している。中央に、ロール紙受けステー１０７、吸引搬送前ステー１０９、給紙レジストローラ受けステー１１０、及び一体となる電装ボックス下ステー１１１、電装ボックス下ステー補強板１１２、電装ボックス上ステー１１３等を配置し、前記のように縦フレーム１０２、１０３、１０５、１０６を締結した右側板１０１と、左側板１０４とで挟み込み、締結する構成としている。
【００３４】
右前縦フレーム１０２、右後縦フレーム１０３、左前縦フレーム１０５、左後縦フレーム１０６は、断面が略コ字状であり、その先端がさらに屈曲した屈曲面が右側板１０１、左側板１０４との締結面１０２Ａ，１０２Ｂ、１０３Ａ、１０３Ｂをなしている。
【００３５】
前述したように、装置本体１内上側には画像形成部２や用紙吸引搬送部３を配置してある。また、用紙吸引搬送部３の左右には、維持回復機構８や図示しないインク廃液部を配置してあり、装置の左右幅を狭くするために、用紙吸引搬送部３の幅は用紙幅に対しある程度の余裕しか持たせていない。
【００３６】
一方、装置本体１内下側には、ロール紙収納部４を配置しているが、ロール紙３０の左右にはロール紙３０を保持、回転させるためのフランジ受け３２を設けることにより、装置本体１内上側よりロール紙収納部４の幅を広くしている。
【００３７】
そのため、図３に示すように、右側板１０１、左側板１０４は、上側に吸引搬送部３を支持する支持面１０１Ａ、１０４Ａと、下側にロール紙収納部を支持する支持面１０１Ｂ、１０４Ｂと、吸引搬送部支持面１０１Ａ、１０４Ａとロール紙収納部支持面１０１Ｂ、１０４Ｂとをつなぐ連結部１０１Ｄ、１０４Ｄで構成される段形状としている。
【００３８】
ここで、吸引搬送部支持面（第２の側板支持面）１０１Ａ、１０４Ａと、ロール紙収納部支持面（第２の側板支持面）１０１Ｂ、１０４Ｂは、そこに吸引搬送機構と、ロール紙搬送機構等をそれぞれ支持する穴や、位置決め形状を設けるが、用紙搬送スキューを防止するために、高精度に位置関係を確保する必要がある。
【００３９】
そこで、吸引搬送部支持面（第２の側板支持面）１０１Ａ、１０４Ａと、ロール紙収容部支持面（第２の側板支持面）１０１Ｂ、１０４Ｂを一体の側板とすることにより、高精度に位置精度を確保して、組立工程での位置調整を不要としている。
【００４０】
上述したように、吸引搬送部支持面１０１Ａと、ロール紙収容部支持面１０１Ｂとを別の支持面とすることで、装置設置面のゆがみや、装置稼動による振動で、平行度が悪くなるおそれがある。
【００４１】
そのため、この構造体１００では、図６に示すように、右側板１０１に締結する右前縦フレーム１０２と右後縦フレーム１０３にも、吸引搬送部支持面（第２の側板支持面）１０１Ａに締結する面（第２のフレーム締結面）１０２Ａ、１０３Ａと、ロール紙収容部支持面（第１の側板支持面）１０１Ｂに締結する面（第１のフレーム締結面）１０２Ｂ，１０３Ｂを一体で持たせて、立体的に左側板１０４を固定できるようにし、左側板１０４、左前縦フレーム１０５、左後縦フレーム１０６も同様の構成とすることにより、構造体としての剛性を向上させている、
【００４２】
さらに、左右前後の縦フレーム１０２、１０３、１０５、１０６の断面をチャンネル形状とすることにより、右側板１０１、及び左側板１０４の上下方向の剛性を保たせられるため、縦フレーム１０２、１０３、１０５、１０６に対して、軽量化を目的として右側板１０１、左側板１０４の板厚を薄くすることができる。
【００４３】
また、図７に示すように、右側板１０１の下部は、縦フレーム１０３の下端との締結面である底面（下面）１０１Ｃと、底面（下面）１０１Ｃから縦フレーム１０３の起立方向へ立設する起立面１０１Ｅとにより略コ字状をなしている。
【００４４】
右側板１０１と右後縦フレーム１０３を締結するとき、右側板のコの字型に曲げた底面１０１Ｃに、右後縦フレームからも曲げた面１０３Ｃを締結することにより、面が二重となり強固にできる。右側板１０１と右前縦フレーム１０２、及び左側板１０４と左前縦フレーム１０５、左後縦フレーム１０６も同様な構成として、この二重となる面に設置足を設けることにより、強装置荷重が掛かっても変形を防止することができる。
【００４５】
また、左右の側板１０１、１０４間には、電装基板類を収容する電装基板収容部６の電装ボックスステー１１１等が配置されており、電装ボックスステー１１１を構造体の一部として用いることにより、余分なステー部材（連結部材）を追加することなく、軽量かつ低コストの構造体とすることができる。
【００４６】
さらに、ロール紙収容部４のロール給紙ステー１０７を装置下側の前側に、電装ボックス下ステー補強板１１２を装置下側の後側に配置し、ロール給紙ステー１０７と、電装ボックス下ステー補強板１１２の板厚を厚くしたり、材料に高張力鋼板等を用いて剛性を強くすることにより、余分なステー部材を追加することなく、フォークリフト等のフォークに装置を載せたり、装置にロープ掛けをして運搬することが可能となる。
【００４７】
このように、上述した構造体においては、装置本体の四隅の上下方向に立設された縦フレームと、隣り合う縦フレーム同士を締結するとともに、対向する一対の側板と、側板間を連結する複数の連結部材と、を備え、側板は、縦フレームと連結部材とで挟まれて、縦フレームに締結される第１の側板締結面と、第１の側板締結面から連続して形成されるとともに、第１の側板締結面より内側に突出し、縦フレームと連結部材とで挟まれて、縦フレームに締結される第２の側板締結面と、を有し、縦フレームは、第１の側板締結面と締結する第１のフレーム締結面と、第２の側板締結面と締結する第２のフレーム締結面とを有している構成としているので、上下の左右側板間が異なっても、左右側板を強固に締結固定できることにより、装置設置面のゆがみや、装置稼動による振動に対しても、変形を防止することができる。また、上側の側板締結面と、下側の側板締結面は、一体の部品からなるため、上側の側板締結面にある収納ユニットの支持部と、下側の側板締結面にある収納ユニットの支持部の位置精度を、組立工程での位置調整等を行うことなく、確保することができる。
【００４８】
また、側板の下面をコ字形状にして縦フレームの下面と締結することにより、側板の下面と縦フレームの下面とが締結された面に設置足を配置することにより、上方からの荷重に対し、変形を防止することができる。
【００４９】
また、機能上、必要な電装基板類を収容する連結部材を、構造体として共用することにより、軽量化と低コスト化を図れる。
【００５０】
また、必要な部材を収納する連結部材を前後２箇所に配置することにより、当該連結部材のみを高剛性化して左右側板に締結固定することにより、余分な連結部材を追加することなく、フォークリフト等のフォークに装置を載せたり、装置にロープ掛けをして運搬することが可能となる。
【００５１】
また、上述した構造体を備える画像形成装置にあっては、上下の左右側板間が異なっても、上側の側板締結面にある収納ユニットの支持部と、下側の側板締結面にある収納ユニットの支持部の位置精度を容易に確保し、高剛性化を図ることができる。
【符号の説明】
【００５２】
１  装置本体
２  画像形成部
３  用紙吸引搬送部
４  ロール紙収納部
６  電装基板収納部
７  画像読取り部
１００  構造体
１０１  右側板
１０１Ａ  右側板の第２の側板締結面
１０１Ｂ  右側板の第１の側板締結面
１０１Ｃ  右側板の底面
１０２  右前縦フレーム
１０３  右後縦フレーム
１０３Ａ  右後縦フレームの第２のフレーム締結面
１０３Ｂ  右後縦フレームの第１のフレーム締結面
１０３Ｃ  右後縦フレームの底面（下面）
１０４  左側板
１０４Ａ  左側板の第２の側板締結面
１０４Ｂ  左側板の第１の側板締結面
１０５  左前縦フレーム
１０６  左後縦フレーム
１０７  ロール給紙受けステー
１０８  吸引搬送部底板
１０９  吸引搬送前ステー
１１０  給紙レジストローラ受けステー
１１１  電装ボックス下ステー
１１２  電装ボックス下ステー補強板
１１３  電装ボックス上ステー
【図１】
2011051205.tif 000003
【図２】
2011051205.tif 000004
【図３】
2011051205.tif 000005
【図４】
2011051205.tif 000006
【図５】
2011051205.tif 000007
【図６】
2011051205.tif 000008
【図７】
2011051205.tif 000009
【図８】
2011051205.tif 000010